(57)【要約】 【課題】  磁気ディスク装置及びケース内部空間の高さ寸法を変えることなく、また、ケースの密封性および生産性を損なうことなく、カバーの反りを抑えることができる磁気ディスク装置用ケースおよび磁気ディスク装置を提供することを目的としている。【解決手段】  磁気ディスクや駆動装置等が載せられるベース２と、ベース２に被せられるカバー３と、ベース２とカバー３との接合部８，９同士を締結させる締結手段４と、接合部８，９間に介在されるガスケット５とが備えられている磁気ディスク装置用ケース１において、カバー２とガスケット５との間、またはカバー５の外側のうちの少なくとも一方には、接合部８，９に沿って形成されてカバー接合部９の剛性を高める補強部材６が設けられている。【選択図】      図１
2006172601.tif 000002
【特許請求の範囲】
【請求項１】
磁気ディスクや駆動装置等が載せられるベースと、該ベースに被せられるカバーと、前記ベースと前記カバーとの接合部同士を締結させる締結手段と、前記接合部間に介在されるガスケットとが備えられている磁気ディスク装置用ケースにおいて、
前記カバーと前記ガスケットとの間、または前記カバーの外側のうちの少なくとも一方には、前記接合部に沿って形成されて前記カバー接合部の剛性を高める補強部材が設けられていることを特徴とする磁気ディスク装置用ケース。
【請求項２】
請求項１記載の磁気ディスク装置用ケースにおいて、
前記補強部材は、前記締結手段による締結位置を含む形状に形成されていることを特徴とする磁気ディスク装置用ケース。
【請求項３】
請求項１または２記載の磁気ディスク装置用ケースにおいて、
前記カバーと前記補強部材とが一体に接合されていることを特徴とする磁気ディスク装置用ケース。
【請求項４】
請求項１から３記載の磁気ディスク装置用ケースと、該ケース内に収納された磁気ディスクと、前記ケース内に収納されて前記磁気ディスクを駆動させる駆動装置とが備えられていることを特徴とする磁気ディスク装置。
【発明の詳細な説明】
【技術分野】
【０００１】
本発明は、データが記録された磁気ディスクと磁気ディスクを駆動させる駆動装置とをそれぞれ収納する磁気ディスク装置用ケース、およびその磁気ディスク装置用ケースが備えられた磁気ディスク装置に関する。
【背景技術】
【０００２】
ハードディスクドライブ（ＨＤＤ）は、ハードディスク（磁気ディスク）と、このハードディスクを駆動させるドライブ（駆動装置）とがユニット化されたものであり、ハードディスクおよびドライブは、箱状のケース内にそれぞれ収納されている。
【０００３】
従来のケースは、ハードディスクやドライブ等が載せられるベースにカバーを被せて箱状に形成し、さらに、密封性を高めるため、ベースとカバーとの接合部の間にガスケットを介在させる構成からなっている。一般に、カバーは、薄い金属材料をプレスして形成されており、カバーとベースとは、縁部（少なくとも四隅）をネジ等の締結手段によって締結することで接合されている。また、ガスケットは、シリコンゴム等の弾性材料からなり、ベースとカバーとの接合部に沿って環状に形成されている（例えば、特許文献１，２参照。）。
【０００４】
また、輪ゴムのように形状が定まり難いガスケットの組立時の困難性等を鑑みて、剛性が高められたガスケットが提案されている。このガスケットは、金属薄板等からなる環状の芯材と、この芯材の両面に接触一体化した弾性材とから構成されており、芯材によってガスケットの剛性が高められている。これによって、ガスケットを所定の形状に保持することができ、ガスケットの組立前の整理や組立作業を容易に行うことができる（例えば、特許文献３参照。）。
【特許文献１】特開２００４−１１１０３７号公報
【特許文献２】特開２００４−５２８６８号公報
【特許文献３】特開平４−３４１９８６号公報
【発明の開示】
【発明が解決しようとする課題】
【０００５】
しかしながら、上記した従来のＨＤＤに備えられたケースでは、薄い金属材料を使ったカバーの縁部を、ベースとの間に弾性材料からなるガスケットが介在された状態で、複数のネジ等でベースに締め付けると、ネジとネジとの中間付近では、ガスケットの反発力によりガスケットが十分に圧縮されず、カバーに反りが生じるという問題が存在する。そして、カバーに反りが生じることで、ＨＤＤの高さ寸法の誤差が大きくなり、また、ガスケットが十分に圧縮されないことでケース内の密封性が低下する。なお、上記した剛性が高められたガスケットを使用しても、カバー縁部の剛性が高くなるわけではないので、カバーの反りを抑えることはできない。
【０００６】
また、カバーの厚みを厚くすることでカバーの反りを抑える方法もあるが、一般に小型で薄型のカバーはプレスで形成されており、カバー縁部だけ厚くすることが困難であるため、ケース外形の高さ寸法を変えないでカバーの厚みを厚くすると、ケースの内部空間の高さ寸法が低くなり、一方、ケースの内部空間の高さ寸法を従来どおりに確保するとＨＤＤ（ケース外形）の高さ寸法が高くなる。なお、カバー縁部をＵ字状に折り曲げることでカバー縁部の厚さを厚くすることができるが、屈曲部で破断する虞があるとともに縁部厚さの微調整を行うことができない。
【０００７】
また、カバーの反りを抑えるためにガスケットの厚さを薄くすると、ベースやカバー、ガスケットの接合面公差によりガスケット全域が十分に圧縮されないため、ケースの密封性を確保することができない。
また、カバーの反りを抑えるために低反発力のガスケットを使用すると、ＨＤＤが１インチ以下の小型のものである場合、小型の低反発性のガスケットが必要になる。しかしながら、現段階では、実用化されている小型の低反発性のガスケットはない。
さらに、ネジの本数を増やしてカバーの反りを抑えることはできるが、ＨＤＤの組立工程時の手間が大きくなり、生産性を損なってしまう。
【０００８】
本発明は、上記した従来の問題が考慮されたものであり、磁気ディスク装置及びケース内部空間の高さ寸法を変えることなく、また、ケースの密封性および生産性を損なうことなく、カバーの反りを抑えることができる磁気ディスク装置用ケースおよび磁気ディスク装置を提供することを目的としている。
【課題を解決するための手段】
【０００９】
請求項１記載の発明は、磁気ディスクや駆動装置等が載せられるベースと、該ベースに被せられるカバーと、前記ベースと前記カバーとの接合部同士を締結させる締結手段と、前記接合部間に介在されるガスケットとが備えられている磁気ディスク装置用ケースにおいて、前記カバーと前記ガスケットとの間、または前記カバーの外側のうちの少なくとも一方には、前記接合部に沿って形成されて前記カバー接合部の剛性を高める補強部材が設けられていることを特徴としている。
【００１０】
請求項２記載の発明は、請求項１記載の磁気ディスク装置用ケースにおいて、前記補強部材は、前記締結手段による締結位置を含む形状に形成されていることを特徴としている。
【００１１】
請求項３記載の発明は、請求項１または２記載の磁気ディスク装置用ケースにおいて、前記カバーと前記補強部材とが一体に接合されていることを特徴としている。
【００１２】
請求項４記載の発明は、請求項１から３記載の磁気ディスク装置用ケースと、該ケース内に収納された磁気ディスクと、前記ケース内に収納されて前記磁気ディスクを駆動させる駆動装置とが備えられていることを特徴としている。
【発明の効果】
【００１３】
請求項１に係る磁気ディスク装置用ケースによれば、カバーとガスケットとの間、またはカバーの外側のうちの少なくとも一方に、接合部に沿って形成された補強部材が設けられているため、補強部材によってカバーの接合部の剛性が増大し、カバーの反りを抑えることができる。これによって、カバー反りによるケース外形の高さ寸法誤差をなくすことができ、また、ガスケットを全域に亘って十分に圧縮させることができ、ケース内の密封性を確保することができる。
また、カバー自体の厚さは変わらないため、ケースの内部空間の高さ寸法を低くせず、或いはケースの外形寸法を高くせずにカバー反りを抑えることが可能である。また、ガスケットを薄くする必要もないため、ケースのＬＥＡＫ（密封性）の問題はなくなり、さらに、締結手段を追加する必要もないため、生産性も維持できる。
【００１４】
また、請求項２に係る磁気ディスク装置用ケースによれば、補強部材が締結手段による締結位置を含む形状に形成されているため、補強部材によるカバー剛性向上の効果が増大し、より薄い補強部材でカバーの反りを抑えることができる。
【００１５】
請求項３に係る磁気ディスク装置用ケースによれば、カバーと補強部材とが一体に接合されているため、カバーまたは補強部材の浮き上がりが防止され、補強部材によるカバー剛性向上の効果を増大させることができる。
【００１６】
請求項４に係る磁気ディスク装置によれば、上記した磁気ディスク装置用ケースと、そのケース内に収納された磁気ディスクと、ケース内に収納されて磁気ディスクを駆動させる駆動装置とが備えられているため、カバー反りによる磁気ディスク装置の高さ寸法誤差がなくすことができるとともに、ガスケットを全域に亘って十分に圧縮させることができ、磁気ディスク装置の密封性を確保することができる。
【発明を実施するための最良の形態】
【００１７】
以下、本発明に係る磁気ディスク装置用ケースおよび磁気ディスク装置の実施の形態について、図面に基いて説明する。
【００１８】
図１に示すように、磁気ディスク装置用ケース１は、中央に窪み部７が形成されたベース２と、ベース２に被せられるカバー３と、ベース２の接合部８とカバー３の接合部９とを締結するネジ（締結手段）４と、接合部８，９間に介在されるガスケット５と、カバー３の接合部９の剛性を高める補強プレート（補強部材）６とから構成されている。
【００１９】
ベース２は、薄い金属板をプレス加工して皿状に形成されたものであり、中央には、図示せぬ磁気ディスクおよび駆動装置がそれぞれ載せられる窪み部７が形成されており、縁部には、鍔状の接合部８が形成されている。窪み部７の底面には円形の開口１０があけられており、この開口１０に図示せぬ磁気ディスクを回転させるモータが嵌合される。また、接合部８の四隅にはネジ４が螺合されるネジ穴１１がそれぞれ形成されている。
【００２０】
カバー３は、ベース２と同様に、薄い金属板をプレス加工して皿状に形成されたものであり、中央には、ベース２の窪み部７に対向する窪み部１２が形成されており、縁部には、ベース２の接合部８に対向する鍔状の接合部９が形成されている。この接合部９の四隅には、ネジ４が挿通されるネジ穴１３がそれぞれ形成されている。
【００２１】
ガスケット５は、ゴムやプラスチックなどの弾性材からなる薄板材であり、環状に形成された接合部８，９の内縁に沿って環状に形成されている。ガスケット５は、ベース２の接合部８と補強プレート６とによって挟持させるだけでもよいが、接着剤などによってベース２の接合部８や補強プレート６に貼着させてもよい。ガスケット５は、ネジ４による締結位置を避ける形状に形成されており、ガスケット５の四隅には、欠き込み部１５が形成されている。
【００２２】
補強プレート６は、カバー３の接合部９の外縁部に沿って連続的に形成されており、環状の形状になっている。また、補強プレート６は、カバー３の接合部９とガスケット５との間に設けられており、ガスケット５の接触面と略同じ幅に形成されている。これによって、カバーのガスケット５を押さえる部分の剛性が高められている。また、補強プレート６はカバー３の接合部９に直接接触するように設けられており、補強プレート６はレーザー溶接によってカバー３の接合部９に接合され、補強プレート６とカバー３とは一体化されている。さらに、補強プレート６は、ネジ４による締結位置を含む形状に形成されており、補強プレート６の隅部には、ネジ４が挿通されるネジ穴１４が形成されている。
【００２３】
なお、補強プレート６は、組立時の向き間違いを防止するために、その形状を左右対称の形状にしており、補強プレート６の内縁形状はガスケット５の内縁形状と相違する形状になっているが、補強プレート６の内縁形状をガスケット５の内縁形状と同一にしてもよく、つまり、補強プレート６の形状を接合部８，９と同一形状にしてもよい。
【００２４】
上記した構成からなる磁気ディスク装置用ケース１の中には、図示せぬ磁気ディスクおよび磁気ディスクを駆動させる駆動装置がそれぞれ収納され、これら磁気ディスク装置用ケース１，磁気ディスク及び駆動装置によって磁気ディスク装置が構成される。
【００２５】
上記した構成からなる磁気ディスク装置用ケース１を用いた磁気ディスク装置の組み立て手順について説明する。
【００２６】
まず、ベース２の窪み部７内に図示せぬ磁気ディスクおよび磁気ディスクをそれぞれ載せる工程を行う。
次に、カバー３のネジ穴１３と補強プレート６のネジ穴１４とを穴合わせして、補強プレート６とカバー３とを重ね合わせて、カバー３の接合部９と補強プレート６とをレーザー溶接によって溶着させる工程を行う。
【００２７】
次に、ガスケット５を補強プレート６のベース側（図１における下側）接合面に接着剤を介して接着させ、一体的に付設された補強プレート６とガスケット５とをそれぞれ介在させてカバー３の接合部９をベース２の接合部８上に載置する工程を行う。このとき、補強プレート６のネジ穴１４とベース２のネジ穴１１とを穴合わせする。また、ベース２側のガスケット５の接合面に接着剤を塗布してベース２の接合部８とガスケット５とを接着させてもよい。
最後に、ネジ穴１１，１３，１４にネジ４を螺合させて、ネジ４によって四隅を締結する工程を行う。
【００２８】
上記した構成からなる磁気ディスク装置用ケース１によれば、カバー３とガスケット５との間に、接合部８，９に沿って形成された補強プレート６が設けられているため、補強プレート６によってカバー３の接合部９の剛性が増大し、カバー３の反りを抑えることができる。これによって、カバー３の反りによる磁気ディスク装置用ケース１の外形高さ寸法の誤差をなくすことができ、また、ガスケット５を全域に亘って十分に圧縮させることができ、磁気ディスク装置用ケース１内の密封性を確保することができる。
【００２９】
また、カバー３自体の厚さは変わらないため、磁気ディスク装置用ケース１の内部空間の高さ寸法を低くせず、或いは磁気ディスク装置用ケース１の外形寸法を高くせずにカバー３の反りを抑えることが可能である。また、ガスケット５を薄くする必要もないため、磁気ディスク装置用ケース１のＬＥＡＫ（密封性）の問題はなくなり、さらに、ネジ４を中間部に追加する必要もないため、生産性も維持できる。
【００３０】
また、補強プレート６がネジ４による締結位置を含む形状に形成されているため、補強プレート６によるカバー３の剛性向上の効果が増大し、より薄い補強プレート６でカバー３の反りを抑えることができる。
【００３１】
また、カバー３と補強プレート６とが一体に接合されているため、カバー３の浮き上がりが防止され、補強プレート６によるカバー３の剛性向上の効果を増大させることができる。
【００３２】
また、上記した構成からなる磁気ディスク装置によれば、上記した磁気ディスク装置用ケース１と、そのケース１内に収納された磁気ディスクと、ケース１内に収納されて磁気ディスクを駆動させる駆動装置とが備えられているため、カバー３の反りによる磁気ディスク装置の高さ寸法誤差がなくすことができるとともに、ガスケット５を全域に亘って十分に圧縮させることができ、磁気ディスク装置の密封性を確保することができる。
【００３３】
以上、本発明に係る磁気ディスク装置の実施の形態について説明したが、本発明は上記した実施の形態に限定されるものではなく、その趣旨を逸脱しない範囲で適宜変更可能である。例えば、上記した実施の形態では、カバー３とガスケット５との間に補強プレート６が設けられているが、本発明は、カバーの外側に補強部材を設けてもよい。この場合、補強部材は、ネジ等の締結部材が設けられる箇所を一段下げた形状にし、ネジ頭等の締結部材の頭部がカバーよりも高くならないようにする。
【００３４】
また、上記した実施の形態では、締結部材としてネジ４が使用されているが、本発明は、例えばバンド状のものでもよく、その他の締結機構や締結具であってもよい。
また、上記した実施の形態では、補強部材（補強プレート）６やガスケット５は枠板状のものが使用されているが、本発明は、棒状のものでもよく、その形状に限定されるものではない。
【００３５】
また、上記した実施の形態では、レーザー溶接によって補強プレート６をカバー３に接合させて一体化させているが、本発明は接着剤によって補強部材をカバーに接着して一体化させてもよい。接着剤によって一体化する場合、カバーを被せる前に、接着剤を介してカバーに補強部材を接着させる工程を行い、補強部材が付設されたカバーをベースに被せる。
【００３６】
また、上記した実施の形態では、ベース２およびカバー３の中央には窪み部７，１２が形成されており、ベース２およびカバー３は皿状に形成されているが、本発明は、ベースまたはカバーフラットのうち何れか一方がフラット形状でもよく、その形状は適宜変更可能である。
【００３７】
また、上記した実施の形態では、補強プレート６の四隅には、ネジ穴１４がそれぞれ形成されており、補強プレート６は、ネジ４による締結位置を含む形状に形成されているが、本発明は、ネジ４による締結位置を避けた形状でもよく、ガスケットのように締結手段による締結位置を避ける欠き込み部を形成してもよい。
また、上記した実施の形態では、補強プレート６とカバー３とが一体化されているが、本発明は、補強部材とカバーとが一体化されてなくてもよい。
【図面の簡単な説明】
【００３８】
【図１】本発明に係る磁気ディスク装置用ケースおよび磁気ディスク装置の実施の形態を説明するための磁気ディスク装置用ケースの分解斜視図である。
【符号の説明】
【００３９】
１  磁気ディスク装置用ケース
２  ベース
３  カバー
４  ネジ（締結手段）
５  ガスケット
６  補強プレート（補強部材）
８，９  接合部
【図１】
2006172601.tif 000003